(57)【要約】【課題】収納空間を開放せずに、収納対象機器の有無を確認する。【解決手段】電子錠式キャビネット１を、キャビネット本体３の内部に、ＬＡＮ−Ｉ／Ｆ９を内蔵したノートＰＣ５の収納空間として区画形成する引き出し７を上下に８段並べて構成する。各引き出し７には、ノートＰＣ５を１台横置きで開放された上面から収納可能な底浅のトレイ１１と、収納位置および出し入れ位置の２つの位置間でトレイ１１をキャビネット本体３の前面側にスライド自在とする開閉手段１３と、収納位置にあるトレイ１１のスライドを許可または阻止するように、駆動モータによる遠隔操作または個別の鍵による手動操作によって、引き出し７の開閉手段１３を施解錠するように構成された公知の電子錠１５とを設ける。またトレイ１１の内側背面付近には、ＬＡＮ−Ｉ／Ｆ９をＬＡＮに接続するためのＬＡＮポートを配置する。【選択図】図１
2009046884.tif 000002
【特許請求の範囲】
【請求項１】
ＬＡＮインターフェイスを備える収納対象機器の収納空間をキャビネット本体内部に区画形成し、収納空間の開閉手段に設けた電子錠を施錠制御する電子錠式キャビネットであって、
収納空間内に設けられ、収納対象機器のＬＡＮインターフェイスに接続されるＬＡＮ接続手段と、
ＬＡＮ接続手段に接続された収納対象機器の収納対象機器情報をＬＡＮを介して検出し、検出した収納対象機器情報が予め登録された機器識別情報に含まれる場合、収納対象機器に対応する電子錠を施錠制御する制御手段と、
を備えることを特徴とする電子錠式キャビネット。
【請求項２】
機器識別情報は、
ＬＡＮ接続手段に接続されたＬＡＮインターフェイスが導通している状態を示す導通状態情報を含むものである、
請求項１に記載の電子錠式キャビネット。
【請求項３】
機器識別情報は、
収納対象機器の型番号、管理者またはＩＰアドレスに相当する一意の識別情報を含むものである、
請求項１または２に記載の電子錠式キャビネット。
【請求項４】
制御手段は、
電源投入コマンドを含むデータをＬＡＮを介してＬＡＮ接続手段に接続されたＬＡＮインターフェイスへ送出し、収納対象機器の電源を遠隔投入する、
請求項１乃至３のいずれかに記載の電子錠式キャビネット。
【発明の詳細な説明】
【技術分野】
【０００１】
本発明は、収納対象機器の収納空間をキャビネット本体内部に区画形成し、収納空間の開閉手段に設けた電子錠を施錠制御してなる電子錠式キャビネットに関する。
【背景技術】
【０００２】
従来から、収納空間の開閉手段に設けた電子錠を施解錠制御する種々の技術として、例えば特許文献１、２等が案出されている。
特許文献１には、遠隔操作により開閉手段としての扉の施解錠が可能で、かつ物品情報が書き込まれたＩＣタグを有する物品が内部に収納されている複数のキャビネットにおける扉の施解錠装置が開示されている。また、特許文献２には、施錠可能な物品の保管ケースと、各保管ケースに備えられＩＤの確認により保管ケースを解錠する保管ケース解錠手段とを有する保管ケース管理システムが開示されている。
【０００３】
前者は、物品情報を非接触で読み取り可能なタグリーダーが各キャビネットに設けられ、管理端末からの物品情報の指定により、物品情報とタグリーダーが読み取ったＩＣタグの物品情報が一致した場合に、ＩＣタグを有する物品が収納されているキャビネットの扉を解錠するものである。
【０００４】
また後者は、ＩＤ確認手段と、ログイン確認手段とを有する複数の操作者確認装置と、操作者確認装置と保管ケース解錠手段とを接続するＬＡＮと、ＩＤ確認手段で認定したＩＤとログイン確認手段で確認したログインデータとが一致しているときに、保管ケースのうち特定グループに属する保管ケースについて、その解錠手段を解錠可能状態とする解錠許可手段とを有するものである。そして解錠許可手段により解錠が許可されている保管ケースにおいて、保管ケース解錠手段がＩＤ確認を行ったときに、保管ケースを解錠する。
【０００５】
【特許文献１】特開２００４−２５０９５２号公報
【特許文献２】特許第３５６４１２２号公報
【発明の開示】
【発明が解決しようとする課題】
【０００６】
しかし、特許文献１の技術では、物品情報をＩＣタグから読み取ることで扉の解錠制御を行う構成上、取り出された際に物品からＩＣタグが剥がれた場合には、キャビネットの収納対象から除外される点で問題があった。また、一般的に、ＩＣタグとタグリーダとの間には、読み取り可能な最大距離が規定されるため、物品を収納する際には、この最大距離以内にＩＣタグとタグリーダとを配置させなければならず、ＩＣタグの貼付位置や、キャビネット内での物品の収納位置等に制約が生じる点で問題があった。
また特許文献２の技術では、保管ケース内に物品が収納されているか否かに関わらず、カードのＩＤが一致しているか否かに基づきＬＡＮを介して保管ケースの解錠制御を行うものであり、保管ケース内の物品の有無についての判断はできず、保管ケースに収納される物品ついて持ち出し管理はできない。
【０００７】
そこで、本発明では上記課題を鑑み、開閉手段を操作して収納空間を開放しなくても、収納対象機器の有無を確認でき、収納対象機器の収納管理を行うことができる電子錠式キャビネットの提供を課題とする。
【課題を解決するための手段】
【０００８】
上記課題を解決するため、請求項１の発明に係る電子錠式キャビネットは、ＬＡＮインターフェイスを備える収納対象機器の収納空間をキャビネット本体内部に区画形成し、収納空間の開閉手段に設けた電子錠を施錠制御する電子錠式キャビネットであって、収納空間内に設けられ、収納対象機器のＬＡＮインターフェイスに接続されるＬＡＮ接続手段と、ＬＡＮ接続手段に接続された収納対象機器の収納対象機器情報をＬＡＮを介して検出し、検出した収納対象機器情報が予め登録された機器識別情報を含む場合、収納対象機器に対応する電子錠を施錠制御する制御手段とを備えるように構成される。
【０００９】
請求項２の発明に係る電子錠式キャビネットは、機器識別情報が、ＬＡＮ接続手段に接続されたＬＡＮインターフェイスが導通している状態を示す導通状態情報を含むものであるように構成される。
【００１０】
請求項３の発明に係る電子錠式キャビネットは、機器識別情報が、収納対象機器の型番号、管理者またはＩＰアドレスに相当する一意の識別情報を含むものであるように構成される。
【００１１】
請求項４の発明に係る電子錠式キャビネットは、制御手段が、電源投入コマンドを含むデータをＬＡＮを介してＬＡＮ接続手段に接続された収納対象機器へ送出し、収納対象機器の電源を遠隔投入するように構成される。
【発明の効果】
【００１２】
請求項１の発明によれば、開閉手段を操作して収納空間を開放しなくても、収納対象機器の有無を確認でき、収納対象機器の収納管理を行うことができる。
【００１３】
請求項２の発明によれば、本電子錠式キャビネットを、貸し出し用の収納対象機器を保管する用途に使用した場合、開閉手段を操作して収納空間を開放しなくても、収納対象機器の有無を確認できる。
【００１４】
請求項３の発明によれば、予め自己の型番号やＰＣ管理者等の一意の収納対象機器情報を制御手段へ返送することができ、複数の収納対象機器を個別に特定できる。
【００１５】
請求項４の発明によれば、収納対象機器の主電源が投入されていない場合であっても、電源投入コマンドを送出することで主電源を遠隔投入でき、より詳細な収納対象機器情報を用いて施解錠制御できセキュリティ性を向上できる。
【発明を実施するための最良の形態】
【００１６】
以下、本発明を具体化した実施の形態を、図面に基づいて詳細に説明する。図１は本発明に係る電子錠式キャビネットを示し、（ａ）は正面図、（ｂ）はＡ−Ａ断面図、（ｃ）はＢ−Ｂ断面図である。図１において、電子錠式キャビネット１は、縦長立方体形状のキャビネット本体３の内部に、収納対象機器であるノート型パソコン（ノートＰＣ）５の収納空間として区画形成する引き出し７を、上下に８段並べて構成されている。ノートＰＣ５は、ＬＡＮに接続された他のネットワーク機器との間でデータ通信可能とするＬＡＮインターフェイス（以下、ＬＡＮ−Ｉ／Ｆとする）９を内蔵している。
【００１７】
各引き出し７は、ノートＰＣ５を１台横置きで開放された上面から収納可能な底浅のトレイ１１と、トレイ１１上面をキャビネット本体３の内部に収納して閉じる収納位置、およびトレイ１１上面をキャビネット本体３の外部に対して開放させてノートＰＣ５を出し入れ可能とする出し入れ位置、これら２つの位置間でトレイ１１をキャビネット本体３の前面側にスライド自在とする開閉手段１３とを備えて構成されている。
【００１８】
さらに引き出し７には、収納位置にあるトレイ１１のスライドを許可または阻止するように、駆動モータ（図示略）による遠隔操作または個別の鍵（図示略）による手動操作によって、引き出し７の開閉手段１３を施解錠するように構成された公知の電子錠１５が設けられている。またトレイ１１の内側背面付近には、ノートＰＣ５のＬＡＮ−Ｉ／Ｆ９をＬＡＮに接続するためのＬＡＮ接続手段であるＬＡＮポートと、ノートＰＣ５へ商用電力を供給する電源コンセント１９とが配置されている。また各引き出し７の全てのＬＡＮコネクタ１７は、ＬＡＮを介して制御装置（制御手段）２１に接続されている。ここで、ＬＡＮポートは、ＬＡＮから引き込まれてトレイ１１内での配線に十分な余長が確保されたＬＡＮケーブルと、その先端に設けられＬＡＮ−Ｉ／Ｆ９に接続されるＬＡＮコネクタ１７とから構成されている。
【００１９】
制御装置２１は、ＬＡＮを介してノートＰＣ５との間でデータ通信可能に構成されるとともに、駆動モータを遠隔操作することによって電子錠１５を施解錠制御可能に構成されている。また制御装置２１は、キャビネット管理者による所定操作によって、何時でも任意の引き出し７の電子錠１５を施解錠動作させるように制御可能である。制御装置２１としては、例えば、本キャビネット１に付設、あるいは離れた場所に設置した管理用ＰＣが利用される。
【００２０】
上記構成のキャビネット１における電子錠１５の施解錠動作を説明する。
キャビネット使用者は、ノートＰＣ５を取り出す際、キャビネット管理者が選択した一の引き出し７の電子錠１５を施解錠する鍵を受け取る。その引き出し７において、キャビネット管理者の制御装置２１による遠隔操作またはキャビネット使用者の貸与された鍵による手動操作によって電子錠１５を解錠して、ノートＰＣ５の貸与を受ける。
【００２１】
キャビネット使用者は、ノートＰＣ５を返却収納する際、引き出し位置のトレイ１１にノートＰＣ５を収納し、電源コードを電源コンセント１９に接続してノートＰＣ５の主電源を手動で投入するとともに、ＬＡＮ−Ｉ／Ｆ９をＬＡＮコネクタ１７に接続してＬＡＮにノートＰＣ５を接続する。そして、収納位置へトレイ１１をスライドさせ上面を閉じノートＰＣ５をキャビネット本体３の内部に収納する。
【００２２】
ノートＰＣ５を収納する際、キャビネット使用者によってノートＰＣ５の主電源が投入されなかった場合、制御装置２１は、ＬＡＮコネクタ１７から電源供給され起動したＬＡＮ−Ｉ／Ｆ９へ電源投入コマンド含むデータをＬＡＮを介して送出し、ノートＰＣ５の主電源を遠隔投入する。
【００２３】
ここで、制御装置２１には、本キャビネット１の収納対象機器であることを示す機器識別情報として、ＬＡＮコネクタ１７に接続されたＬＡＮ−Ｉ／Ｆ９が導通している状態を示す導通状態情報が予め登録されている。また引き出し７毎に、ノートＰＣ５の返却日等の使用期限が設定されている。
【００２４】
制御装置２１は、接続されたノートＰＣ５について、ＬＡＮを介してＬＡＮ−Ｉ／Ｆ９が導通しているか否かを収納対象機器情報として検出する。そして、導通している状態を示す導通状態情報を検出した場合、制御装置２１は、ノートＰＣ５が収納された引き出し７の駆動モータを遠隔操作し、電子錠１５が施錠動作するように制御する。例えば導通状態情報としては、制御装置２１からＬＡＮ−Ｉ／Ｆ９へ送出したｐｉｎｇ等の所定のネットワークコマンドに対して、ＬＡＮ−Ｉ／Ｆ９から制御装置２１へ返される所定の応答データを利用する。
【００２５】
上記構成のキャビネット１によれば、ＬＡＮポートとして、十分な余長を備えるＬＡＮケーブルとＬＡＮコネクタ１７をトレイ１１内に設けたので、トレイ１１内におけるノートＰＣ５の収納向きや収納位置等、収納状態の制約を減らしながら、ノートＰＣ５の収納管理を行うことが可能となる。
また、ノートＰＣ５の主電源が投入されていない場合であっても、電源投入コマンドを送出することでノートＰＣ５の主電源を遠隔投入でき、より詳細な収納対象機器情報を用いて施解錠制御できセキュリティ性を向上できる。加えて、ＬＡＮ−Ｉ／Ｆ９の導通状態をチェックすることで、トレイ１１を引き出さずに引き出し７内におけるノートＰＣ５の有無を確認できる。
さらに、引き出し７毎にノートＰＣ５の返却日等の使用期限を設定すれば、期限管理が容易にできる。
【００２６】
次に本発明の他の実施の形態を説明する。本キャビネット１の制御装置２１には、収納対象機器として許可された全てについて、型番号、ＰＣ管理者等の一意の機器識別情報が予め登録されている。また収納対象機器であるノートＰＣ５には、制御装置２１からの要求により、自己の型番号やＰＣ管理者等の情報が含まれた一意の収納対象機器情報を返すプログラムが予め格納されている。尚、その他の構成は、前述のキャビネット１と同一であり省略する。
【００２７】
制御装置２１は、接続されたノートＰＣ５に対して、ＬＡＮを介して上記プログラムを起動させる所定のコマンドを送出する。コマンドの要求により起動したプログラムは、自己の型番号やＰＣ管理者等の情報を返す。制御装置２１は、返された情報を一意の収納対象機器情報として検出する。そして、検出した情報と予め登録された情報とを比較する。検出した情報が登録された情報に含まれる場合、制御装置２１は、ノートＰＣ５が収納された引き出し７の駆動モータを遠隔操作し、電子錠１５が施錠動作するように制御する。
【００２８】
上記構成のキャビネット１によれば、予め自己の型番号やＰＣ管理者等の一意の収納対象機器情報を返すことができ、複数のノートＰＣ５を個別に特定できる。
【００２９】
次に本発明の他の実施の形態を説明する。本キャビネット１の制御装置２１には、収納対象機器として許可されたものであることを示す機器識別情報として、所定数の登録ＩＰアドレスが予め登録されている。またノートＰＣ５には、引き出し７に初めて収納される際、キャビネット管理者による制御装置２１の設定操作によって、登録ＩＰアドレスのうち未使用の１つが、一意の識別情報、すなわち固定ＩＰアドレスとして設定される。尚、その他の構成は、前述のキャビネット１と同一であり省略する。
【００３０】
制御装置２１は、接続されたノートＰＣ５について、ＬＡＮを介して固定ＩＰアドレスを収納対象機器情報として検出する。そして、検出した固定ＩＰアドレスと予め登録された登録ＩＰアドレスとを比較する。固定ＩＰアドレスが登録ＩＰアドレスに含まれる場合、制御装置２１は、ノートＰＣ５が収納された引き出し７の駆動モータを遠隔操作し、電子錠１５が施錠動作するように制御する。
上記構成の本キャビネット１によっても、前述のキャビネット１と同様に、複数のノートＰＣ５を個別に特定できる。
【００３１】
尚、本発明は上記実施形態に限定されるものではなく、下記のように、本発明の趣旨を逸脱しない範囲で各部の形状並びに構成を適宜に変更して実施することも可能である。
（１）開閉手段は、トレイをスライド自在とするものに限らず、いわゆるロッカーのように、キャビネット内部に単に区画形成した収納空間を外部に対して開閉する扉状に構成しても良い。
（２）収納対象機器には、ノートＰＣに限らず、ＬＡＮインターフェイスを備えるものであれば、デスクトップＰＣ、ハブ、ルータ等を適用可能である。この時、収納空間は、機器の大きさに合わせて寸法形状を適宜変更する。
（３）本キャビネットは、収納空間を、上下一列に限らず、左右に複数列設けて構成しても良い。
（４）機器識別情報は、一意の識別情報を含むものであれば、収納対象機器のＭＡＣアドレスに相当する情報等を利用して電子錠を施錠制御するように構成しても良い。
（５）電子錠の施解錠は、制御装置による遠隔操作のみの手順で行い、鍵による手動操作で施解錠を行うことができないものとしても良い。
（６）本キャビネットは、貸し出し用の収納対象機器の保管場所に限らず、収納対象機器の収納空間を提供する貸し出し用キャビネットとして用いても良い。
（７）ＬＡＮ−Ｉ／ＦとＬＡＮポートは、有線に限らず、無線で通信可能に接続するように構成しても良い。
【図面の簡単な説明】
【００３２】
【図１】本発明に係る電子錠式キャビネットの構成図を示す、（ａ）は正面図、（ｂ）はＡ−Ａ断面図、（ｃ）はＢ−Ｂ断面図である。
【図２】本発明に係る電子錠式キャビネットのブロック構成図である。
【符号の説明】
【００３３】
１・・電子錠式キャビネット、３・・キャビネット本体、５・・ノートＰＣ（収納対象機器）、７・・引き出し（収納空間）、９・・ＬＡＮ−Ｉ／Ｆ（ＬＡＮインターフェイス）、１１・・トレイ、１３・・開閉手段、１５・・電子錠、１７・・ＬＡＮコネクタ（ＬＡＮポート）、１９・・電源コンセント、２１・・制御装置（制御手段）。
【図１】
2009046884.tif 000003
【図２】
2009046884.tif 000004